(57)【要約】【課題】低コストで仮設階段を構築・除去でき、また現場条件にも制約を受けにくい建設現場の仮設階段装置およびその構築・除去方法を提供すること。【解決手段】地中孔１に階段ユニットＵ１〜Ｕ５を懸吊する。階段ユニットＵ１〜Ｕ５は、踊り場１２を有するフレーム１１から成る。最上段のフレーム１１は地上の支持部材２０上に載せ、フレーム１１を上下方向にワイヤ１４により懸吊する。各踊り場１２間には階段１３を斜設する。フレーム１１はその隅部を結合具１５により着脱自在にワイヤ１４に結合する。階段ユニットＵ１〜Ｕ５を構成する要素は自由に組立て・分解することができる。【選択図】図３
2005090111.tif 000002
【特許請求の範囲】
【請求項１】
一側部に踊り場が設けられたフレームと、上下の踊り場間に着脱自在に斜設される階段とから階段ユニットを構成し、上下のフレームを懸吊材により着脱自在に結合することにより、階段ユニットを上下方向に複数個懸吊することを特徴とする建設現場の仮設階段装置。
【請求項２】
請求項１記載の建設現場の仮設階段装置を用いる建設現場の仮設階段装置の構築・除去方法であって、複数個の階段ユニットを地中孔の支持部材に懸吊して構築し、地中孔の深部から地上へ向って地下工事が進捗するのにともない、下段の階段ユニットから順に分解して除去していくことを特徴とする建設現場の仮設階段装置の構築・除去方法。
【発明の詳細な説明】
【技術分野】
【０００１】
本発明は、建設現場の仮設階段装置およびその構築・除去方法に関するものである。
【背景技術】
【０００２】
例えばビルディングなどの建築物を建設する場合、地下構造物を構築するために地中孔が深く掘削される。そして建設作業者は地中孔に下り、地下においてコンクリート打ちなどの様々な作業（地下工事）を行う。
【０００３】
作業者が地下に出入りするために、地中孔には仮設階段（簡易階段）装置が構築される。図４は、従来の仮設階段装置の説明図である。図中、１は地中深く掘削された地中孔、２は地上に設置されたクレーン車などの作業車である。クレーン３の先端にはワイヤ４を介して階段ユニットＵ１〜Ｕ４が懸吊されている。階段ユニットＵ１〜Ｕ４は箱形のフレーム６を主体とし、これに階段７が斜設されている。
【０００４】
階段ユニットＵ１〜Ｕ４は地中孔１の深さに応じて上下方向に複数個（本例では４個）積層して結合されており、作業車２のクレーン３を操作して、地中孔１の地下面ａへ下ろされ（矢印Ａ）、支持部材８に固定される。作業者は、このようにして地中孔１に設置された階段ユニットＵ１〜Ｕ４の階段７を昇り降りし、地下において諸作業を行う。
【０００５】
地下において、最深地階部分Ｈ１の作業（レベルｂまでの作業）が終了したならば、クレーン３を大きく上方へ回転させて階段ユニットＵ１〜Ｕ４をすべて地上へ上昇させ（矢印Ｂ）、地上において最下段の階段ユニットＵ４を取りはずす。そして残りの３段の階段ユニットＵ１〜Ｕ３をレベルｂまで下ろし（矢印Ａ）、作業者は再び諸作業を行う。そして次階部分Ｈ２の作業（レベルｃまでの作業）が終了したならば、再び階段ユニットＵ１〜Ｕ３をすべて地上へ上昇させ（矢印Ｂ）、地上において最下段の階段ユニットＵ３を取りはずす。そして残りの階段ユニットＵ１、Ｕ２をレベルｃまで下ろし、再び諸作業を行う。以上の作業を繰り返すことにより、地中孔１の深部から地上へ向って順に地下工事を行っていた。
【０００６】
しかしながら従来方法は、クレーン車などの作業車が必要なため、工事が大規模化し、それだけコストアップとなっていた。また地中孔の深部から地上へ向って地下工事が進捗するのにともない、階段ユニットを下段のものから順に取りはずして除去していくが、この場合、積層された階段ユニットをすべて地上に引き上げ（矢印Ｂ）、地上において最下段の階段ユニットを取りはずして除去したうえで、残りの階段ユニットを再び地下に下ろす（矢印Ａ）作業を繰返していたため（すなわち、階段ユニットの減数作業は、すべての階段ユニットを地上に引き上げて地上で行わねばならなかったため）、多大な労力と時間を要していた。
【０００７】
また階段ユニットは箱形のため、その組立て、分解、運搬が大変であり、また保管にも大きなスペースを要していた。
【発明の開示】
【発明が解決しようとする課題】
【０００８】
そこで本発明は上記従来の課題を解消し、低コストで簡単に建設現場に設置・除去でき、また現場条件の制約を受けにくい建設現場の仮設階段装置およびその構築・除去方法を提供することを目的とする。
【課題を解決するための手段】
【０００９】
本発明の建設現場の仮設階段装置は、一側部に踊り場が設けられたフレームと、上下の踊り場間に着脱自在に斜設される階段とから階段ユニットを構成し、上下のフレームを懸吊材により着脱自在に結合することにより、階段ユニットを上下方向に複数個懸吊する。
【００１０】
本発明の建設現場の仮設階段の構築・除去方法は、請求項１記載の建設現場の仮設階段装置を用いる建設現場の仮設階段装置の構築・除去方法であって、複数個の階段ユニットを地中孔の支持部材に懸吊して構築し、地中孔の深部から地上へ向って地下工事が進捗するのにともない、下段の階段ユニットから順に分解して除去していくようにした。
【発明の効果】
【００１１】
本発明の建設現場の仮設階段装置およびその構築・除去方法によれば、建設現場において、仮設階段装置を簡単に組立て、また除去することができる。また作業車は無くても仮設・除去作業を行えるので、大巾なコストダウンが可能となる。また階段ユニットを分解すれば、フレーム、階段、懸吊材などの階段ユニットを構成する要素を、簡単にトラックなどの運搬手段で運搬したり、また倉庫等に保管することが可能であるから、運搬コストや保管コストも大巾に低減できる。
【発明を実施するための最良の形態】
【００１２】
以下、図面を参照して本発明の実施の形態を説明する。図１は建設現場の仮設階段装置の斜視図、図２は建設現場の仮設階段装置の簡易斜視図、図３は建設現場の仮設階段装置の簡易側面図である。図２および図３は、理解の便の為に、図１の詳細図を簡易に図示するものである。
【００１３】
図１〜図３において、仮設階段装置は、複数個（本例では５個）の階段ユニットＵ１〜Ｕ５を上下方向に積層・結合して成っている。以下、階段ユニットＵ１〜Ｕ５の説明を行う。１１は枠型のフレームであり、その一側部に踊り場１２が設けられている。上下の踊り場間には階段１３が着脱自在に斜設されている。最上段のフレーム１１は、地中孔１上に設けられた現設現場の支持部材（本実施の形態では左右２本のＨ型綱）２０上に載置されている。上下方向にピッチをおいて位置する複数個のフレーム１１の４つの隅部は、懸吊材としてのワイヤ１４で連結され、水平な姿勢となっている。懸吊材としては、チェンなども適用できる。
【００１４】
上下方向の複数本のワイヤ１４は、結合具１５により着脱自在に連結されており、またフレーム１１の４つの隅部はこの結合具１５に着脱自在に結合されている。したがって上下方向のワイヤ１４は互いに連結・分離でき、またフレーム１１もワイヤ１４に結合・分離できる。このような結合具１５は公知のものを使用できる。また階段１３も、踊り場１２に自由に着脱できる。また図１において、フレーム１１や階段１３には、柵１６や手すり１７等が着脱自在に組付けられている。階段ユニットＵ１〜Ｕ５を構成するフレーム１１、踊り場１２、ワイヤ１４、柵１６、手すり１７などの要素は、分解・組立て自在になっている。またフレーム１１には、階段ユニットＵ１〜Ｕ５の横揺れ防止手段としてのバー２１が固着されている。バー２１の他端は、立柱２２などの地中構造物に取り付けられている。
【００１５】
この仮設階段装置は上記のような構成より成り、次に建設現場においてこれを構築する方法について説明する。複数のフレーム１１をワイヤ１４で連結し、最上段のフレーム１１を支持部材２０上に載せ、４個のフレーム１１をワイヤ１４により懸吊する。次に、上下のフレーム１１の踊り場１２の間に階段１３を斜設し、また柵１６や手すり１７等の付属部材を組付ける。また各フレーム１１をバー２１により立柱２２に固定する。これにより、階段ユニットＵ１〜Ｕ５は地中孔１に懸吊して構築される。
【００１６】
図３は、このようにして地中孔１中に仮設階段装置を構築した状態を示しており、最下段のフレーム１１は地中孔１の地下面ａ上若しくは地下面ａ近くにある。そこで作業者は、階段１３を昇り降りし、最深地階部分Ｈ１の作業を行う。この作業が終了したならば、最下段の階段ユニットＵ５を除去する。この除去作業は、階段１３をフレーム１１から取りはずし、またフレーム１１をワイヤ１４から取りはずし、最下段のワイヤ１４を結合具１５から取りはずすなどして、この階段ユニットＵ５を構成する要素を分解することにより行う。そして分解されたフレーム１１、階段１３、ワイヤ１４等は地上に回収する。このような階段ユニットの分解・回収作業の手順は、現場状況等に応じて自由に行ってよい。
【００１７】
次に次階部分Ｈ２の作業を行い、この作業が終了したならば、次階部分の階段ユニットＵ４を上記階段ユニットＵ５と同様にして分解・除去・回収する。以下、同様にして、地上へ向って地下各階の工事を行い、地下工事の進捗にともない、下段の階段ユニットから順に分解・除去・回収していく。
【産業上の利用可能性】
【００１８】
本発明の建設現場の仮設階段装置および仮設階段の構築・除去方法によれば、現設現場において、仮設階段装置を簡単に構築し、また分解して除去することができる。またクレーン車などの作業車の使用を禁止するものではないが、作業車は無くても構築・分解・除去作業を行えるので、大巾なコストダウンが可能となる。また階段ユニットはこれを分解してトラック運搬したり、あるいは倉庫保管することが可能であるから、運搬コストや保管コストも大巾に低減できるものであり、建設現場の仮設階段装置および仮設階段の構築・除去方法等として有用である。
【図面の簡単な説明】
【００１９】
【図１】建設現場の仮設階段装置の斜視図
【図２】建設現場の仮設階段装置の簡易斜視図
【図３】建設現場の仮設階段装置の簡易側面図
【図４】従来の仮設階段装置の説明図
【符号の説明】
【００２０】
１    地中孔
１１    フレーム
１２    踊り場
１３    階段
１４    ワイヤ
１５    結合具
２０    支持部材
２１    バー
Ｕ１〜Ｕ５    階段ユニット
【図１】
2005090111.tif 000003
【図２】
2005090111.tif 000004
【図３】
2005090111.tif 000005
【図４】
2005090111.tif 000006